【手続補正書】
【提出日】平成15年12月11日(2003.12.11)
【手続補正１】
【補正対象書類名】明細書
【補正対象項目名】特許請求の範囲
【補正方法】変更
【補正の内容】
【特許請求の範囲】
【請求項１】
空力ラチェット駆動レンチであって、
ハウジングと、
前記ハウジングに支持され、圧縮空気源との接続が可能な大きさと形状を備えたエア取入口と、
前記ハウジングに配置されて圧縮空気を受け入れるよう前記エア取入口と導通し、圧縮空気が通過するときに回転可能な駆動軸を含むエアモータと、
前記ハウジング内にピボット回転可能に配置され、前記駆動軸と動作可能に接続されて前記駆動軸の回転によって振動が誘起されるロッカーと、
前記ロッカーにピボット回転可能に取り付けられた少なくとも１つのつめと、
複数の歯を有する出力要素であって、長手方向の軸回りに回転可能に前記ハウジング内に搭載され、対象物へトルクを伝達するため前記ハウジングから突出し、前記つめが当該出力要素を回転させるため前記出力要素の歯と係合可能な大きさと形状を備えている出力要素と、
前記少なくとも１つのつめを前記歯に向けて付勢するよう前記ハウジングに支持され、前記つめによって誘起される回転とは逆方向に前記出力要素が回転することを阻止する少なくとも１つのばねとから構成され、
前記ばねが、前記つめと係合して当該つめを前記歯に向けて付勢するつめ係合部と、前記歯と係合して前記つめによって誘起される回転とは逆方向に前記出力要素が回転することを阻止する停止部とを含んでいる空力ラチェット駆動レンチ。
【請求項２】
前記停止部と前記歯とが、前記出力要素が前記つめによって誘起された方向へ回転する際には回転を許容するよう前記歯が前記停止部を前記出力要素から離す方向へ押し、前記出力要素が逆方向へ回転する際には当該逆回転を阻止するよう前記停止部が前記歯と係合するよう形成され配置されている、請求項１に記載の空力ラチェット駆動レンチ。
【請求項３】
前記ばねが、前記つめ係合部と前記停止部とを独立して付勢するよう形成されたコイル部を更に含んでいる、請求項２に記載の空力ラチェット駆動レンチ。
【請求項４】
前記コイル部が、前記つめ係合部を付勢するつめコイルと、前記停止部を付勢する停止コイルとから構成されている、請求項３に記載の空力ラチェット駆動レンチ。
【請求項５】
前記ばねが、１本のばね線で形成されている、請求項４に記載の空力ラチェット駆動レンチ。
【請求項６】
前記つめ係合部と停止部が、それぞれ前記つめコイルと停止コイルからほぼ平行に延びている、請求項３に記載の空力ラチェット駆動レンチ。
【請求項７】
前記つめ係合部と停止部が、概略Ｌ字形状である、請求項６に記載の空力ラチェット駆動レンチ。
【請求項８】
前記停止部が前記つめ係合部よりも長くのびている、請求項７に記載の空力ラチェット駆動レンチ。
【請求項９】
正転つめと逆転つめとを含む２つのつめと、正転ばねと逆転ばねとを含むの２つのばねとを備えている、請求項１に記載の空力ラチェット駆動レンチ。
【請求項１０】
前記出力要素の回転方向を逆転させるための逆転スイッチを更に含んでいる、請求項９に記載の空力ラチェット駆動レンチ。
【請求項１１】
前記逆転スイッチが、前記少なくとも２つのつめの少なくとも１つと選択的に係合して前記出力要素との係合を阻止すベく前記つめに作用するばねの付勢力に打ち勝つように配置されている、請求項１０に記載の空力ラチェット駆動レンチ。
【請求項１２】
前記逆転スイッチが前記ハウジング内でピボット軸回りに回転し、前記逆転スイッチが正転位置と逆転位置との間で回動可能である、請求項１１に記載の空力ラチェット駆動レンチ。
【請求項１３】
前記逆転スイッチが当該スイッチから延びるカム面を更に含み、前記スイッチが正転位置に向けられると前記逆転つめと係合してこの逆転つめを前記出力要素の歯から引き離すよう付勢し、前記スイッチが逆転位置に向けられると前記正転つめと係合してこの正転つめを前記出力要素の歯から引き離すよう付勢するため、前記カム面が前記逆転スイッチのピボット軸から偏心している、請求項１２に記載の空力ラチェット駆動レンチ。
【請求項１４】
空力ラチェット駆動レンチであって、
ハウジングと、
前記ハウジングに支持され、圧縮空気源との接続が可能な大きさと形状を備えたエア取入口と、
前記ハウジングに配置されて圧縮空気を受け入れるよう前記エア取入口と導通し、圧縮空気が通過するときに回転可能な駆動軸を含むエアモータと、
前記ハウジング内にピボット回転可能に配置され、前記駆動軸と動作可能に接続されて前記駆動軸の回転によって振動が誘起されるロッカーと、
前記ロッカーにピボット回転可能に取り付けられた少なくとも２つのつめと、
複数の歯を有する出力要素であって、長手方向の軸回りに回転可能に前記ハウジング内に搭載され、対象物へトルクを伝達するため前記ハウジングから突出し、前記つめが当該出力要素を回転させるため前記出力要素の歯と交互に係合可能な大きさと形状を備えている出力要素と、
前記少なくとも２つのつめの少なくとも１つを前記歯に向けて付勢するよう前記ハウジング内に支持された少なくとも１つのばねであって、当該少なくとも１つのばねは、前記少なくとも１つのつめによって誘起される回転とは逆方向に前記出力要素が回転することを阻止するような大きさと形状に形成され、前記つめと係合して当該つめを前記歯に向けて付勢するつめ係合部と、前記歯と係合して前記つめによって誘起された回転とは逆方向に前記出力要素が回転するのを阻止する停止部と、前記つめ係合部と前記停止部とを独立して付勢するよう形成されたコイル部とを含み、前記コイル部は、前記つめ係合部を付勢するためのつめコイルと前記停止部を付勢するための停止コイルとから構成され、前記停止部と前記歯とは、前記出力要素が前記つめによって誘起された方向へ回転する際には回転を許容するよう前記歯が前記停止部を前記出力要素から離す方向へ押し、前記出力要素が逆方向へ回転する際には当該逆回転を阻止すべく前記停止部が前記歯と係合するよう形成されて前記ハウジング内に配置されている前記少なくとも１つのばねと、から構成されている空力ラチェット駆動レンチ。
【請求項１５】
前記ばねが１本のばね線で形成されている、請求項１４に記載の空力ラチェット駆動レンチ。
【請求項１６】
前記つめ係合部と停止部が概略Ｌ字形状に形成され、それぞれ前記つめコイルと停止コイルからほぼ平行に延び、前記停止部が前記つめ係合部よりも長く延びている、請求項１５に記載の空力ラチェット駆動レンチ。
【請求項１７】
前記出力要素の回転方向を逆転させるための逆転スイッチを更に含んでいる、請求項１６に記載の空力ラチェット駆動レンチ。
【請求項１８】
前記逆転スイッチが、前記少なくとも１つのつめと選択的に係合して前記出力要素との係合を阻止するよう前記つめに作用するばねの付勢力に打ち勝つように配置されている、請求項１７に記載の空力ラチェット駆動レンチ。
【請求項１９】
前記逆転スイッチが前記ハウジング内でピボット軸回りに回転し、前記逆転スイッチが正転位置と逆転位置との間で回動可能である、請求項１８に記載の空力ラチェット駆動レンチ。
【手続補正２】
【補正対象書類名】図面
【補正対象項目名】全図
【補正方法】変更
【補正の内容】
【図１】
2003039340.tif 000001
【図２】
2003039340.tif 000002
【図３】
2003039340.tif 000003
【図４】
2003039340.tif 000004
【図５】
2003039340.tif 000005
【図６】
2003039340.tif 000006
【図７】
2003039340.tif 000007
【図８】
2003039340.tif 000008
【図９】
2003039340.tif 000009
【図１０】
2003039340.tif 000010
【図１１】
2003039340.tif 000011
【図１２】
2003039340.tif 000012
【図１３】
2003039340.tif 000013
【図１４】
2003039340.tif 000014
【図１５】
2003039340.tif 000015
【図１６】
2003039340.tif 000016
【図１７】
2003039340.tif 000017
【図１８】
2003039340.tif 000018
【図１９】
2003039340.tif 000019